(57)【要約】【課題】  薬剤と粘性媒体とを分離した状態で収納して、携行可能とし、経口投与する際に、個々の薬剤を被覆した上で、被覆した薬剤を粘性媒体と一体化した薬剤被覆媒体を容易に形成して、経口投与できる薬剤経口投与装置の提供【解決手段】  薬剤経口投与装置１００は、排出口形成接合部１０６を有している。排出口形成接合部１０６は、第１傾斜接合部１０６ａ、第２傾斜接合部１０６ｂを有している。第１傾斜接合部１０６ａと第２傾斜接合部１０６ｂとは、互いに傾斜角度が異なる。第１傾斜接合部１０６ａは、第２傾斜接合部１０６ｂに比して、緩い傾斜角度を有している。また、第１傾斜接合部１０６ａは、第２傾斜接合部１０６ｂよりも、開端部１０４側に形成されている。傾斜角度が異なる第１傾斜接合部１０６ａ及び第２傾斜接合部１０６ｂを、連続して形成することによって、排出口から、所定の大きさの粘性媒体を、安定して排出することができる。【選択図】  図１
2015092888.tif 000002
【特許請求の範囲】
【請求項１】
平面形状の所定の形成材によって形成され、開口を有する開端部、及び、閉じられた閉端部であって、前記開端部に対向して位置する閉端部、及び、前記開端部と前記閉端部の対応する端点を結んで形成される第１側部及び第２側部を有し、三方が閉じられた袋形状を有する薬剤類経口投与装置であって、
薬剤、及び、所定の栄養素を補給するためのサプリメントを含む薬剤類を被覆するための粘性媒体であって、被覆した前記薬剤類と一体化した薬剤被覆媒体を形成する粘性媒体、
前記第１側部と前記第２側部とを結ぶように形成され、対向して位置する前記形成材の接合により形成される中間接合部であって、所定以上の圧力により前記接合が破れる中間接合部、
前記中間接合部、前記側部、及び、前記閉端部によって形成される空間であって、前記粘性媒体を封入する粘性媒体封入部、
前記粘性媒体封入部からみて、前記中間接合部を介して前記粘性媒体封入部から前記開端部向かう方向に位置する薬剤配置部、
前記粘性媒体封入部と前記薬剤配置部との間に位置し、前記粘性媒体を裁断する粘性媒体裁断部であって、前記粘性媒体が前記中間接合部の接合を破って前記粘性媒体封入部から前記薬剤配置部に向かって移動する際に前記粘性媒体が通過する排出口であって、前記中間接合部における前記第１側部と前記第２側部との間の距離よりも小さい距離の開口である排出口を有する粘性媒体裁断部、
を有する薬剤類経口投与装置。
【請求項２】
請求項１に係る薬剤類経口投与装置において、
前記粘性媒体裁断部は、
前記第１側部と前記第２側部との間の所定の端部位置から、前記開端部から前記閉端部に向かって形成され、対向して位置する前記形成材の接合により形成される排出口形成接合部であって、前記端部位置から前記第１側部又は前記第２側部との間に形成される前記排出口を前記中間接合部よりも前記開端部側に形成する排出口形成接合部、
を有すること、
を特徴とする薬剤類経口投与装置。
【請求項３】
請求項２に係る薬剤類経口投与装置において、
前記排出口形成接合部は、
前記粘性媒体が移動する際に沿う粘性媒体移動線であって、前記開端部から前記閉端部に向かって斜めに形成され、一定した傾斜角度を有さない粘性媒体移動線を有すること、
を特徴とする薬剤類経口投与装置。
【請求項４】
請求項１〜請求項３に係るいずれかの薬剤類経口投与装置において、
前記第２側部は、
前記開端部から前記閉端部に向かって斜めに形成される傾斜側部であって、前記排出口形成接合部に対向する位置に形成される傾斜側部、
を有する薬剤類経口投与装置。
【請求項５】
請求項１〜請求項４に係るいずれかの薬剤類経口投与装置において、
前記開端部は、
対向して位置する前記形成材のいずれか一方の前記形成材に、他方の前記形成材を露出する切り欠き有すること、
を特徴とする薬剤類経口投与装置。
【請求項６】
請求項１〜請求項６に係るいずれかの薬剤類経口投与装置において、さらに、
前記開端部を少なくとも１回、前記閉端部側に折りたたんだ収納状態を維持する収納状態維持部、
を有する薬剤類経口投与装置。
【請求項７】
請求項６に係る薬剤類経口投与装置において、
前記収納状態維持部は、
前記閉端部に形成される切れ込みであること、
を特徴とする薬剤類経口投与装置。
【請求項８】
請求項７に係る薬剤類経口投与装置において、
前記収納状態維持部は、
前記粘性媒体封入部とは反対側に前記閉端部から連続して形成され、前記閉端部側とは異なる端部が、前記収納状態における前記閉端部とは異なる端部を収納するために開口していること、
を特徴とする薬剤類経口投与装置。
【請求項９】
請求項７に係る薬剤類経口投与装置において、
前記収納状態維持部は、
前記第１側部及び／又は前記第２側部に形成され、前記中間接合部に対して前記開端部側に形成される切れ込みと、前記中間接合部に対して前記閉端部側に形成される切れ込みとを、互いに係合させるものであること、
を特徴とする薬剤類経口投与装置。
【請求項１０】
請求項１〜請求項９に係るいずれかの薬剤類経口投与装置において、
所定の前記薬剤類、
を有する薬剤類経口投与装置。
【発明の詳細な説明】
【技術分野】
【０００１】
本発明は、薬剤類を経口投与するための薬剤類経口投与装置に関し、特に、個々の薬剤類を被覆した上で、複数の被覆した薬剤類を一体化した薬剤被覆媒体を形成するものに関する。
【背景技術】
【０００２】
従来の粘体状薬品調製製品１０について図２１を用いて説明する。粘体状薬品調製製品１０の容器１１は、素材が例えばポリプロピレンやポリエチレン等である一対のシートの表面と背面が貼り合わされ、一対のシートの間に密閉した空間１２が形成されたものである。なお、容器１１の構成は上記のものに限られず、その内部に密閉した空間を有するものであればよい。【０００３】
前記容器１１の密閉した空間には、隔離部１３によって液体用隔室１２ａ  と薬剤用隔室１２ｂとに分割されている。この隔離部１３は、例えば液体用隔離部１２ａ内の圧力が高くなると、液体用隔室１２ａと薬剤用隔室１２ｂとの間が連通するように形成されている。【０００４】
前記液体用隔室１２ａ  には、例えば精製水やお茶、ジュース等の清涼飲料水などの液体５が収容されている。一方、薬剤用隔室１２ｂ  には、上述した本発明の粘体状薬品調製剤１が収容されている。【０００５】
粘体状薬品調製製品１０の容器１１を手で強く握ると、液体用隔室１２ａや薬剤用隔室１２ｂが圧迫され、その内部の圧力が高くなる。すると、容器１１の隔離部１３が液体用隔室１２ａと薬剤用隔室１２ｂとを分割しておくことができなくなり、液体用隔室１２ａ  と薬剤用隔室１２ｂ  とが連通される。このため、液体用隔室１２ａ内の液体５と薬剤用隔室１２ｂ内の粘体状薬品調製剤１とが混じり合うので、粘体状薬品調製剤１が粘体状に調製される。（特許文献１）
【先行技術文献】
【特許文献】
【０００６】
【特許文献１】特開２００３−１３７８１７号公報
【発明の概要】
【発明が解決しようとする課題】
【０００７】
前述の粘体状薬品調製製品１０には、以下に示すような改善すべき点がある。液体用隔室１２ａ  に収容されている液体５と、薬剤用隔室１２ｂ  に収容されている粘体状薬品調製剤１とは、容器１１を手で強く握ると、隔離部１３が破壊されて、混じり合う。すなわち、隔離部１３は、手で強く握る程度の力で密着するように形成されている。【０００８】
一方、薬剤をゼリー等の粘性媒体と一緒に飲み込むことによって、薬剤の経口投与を補助する場合、薬剤と粘性媒体とを隣接して配置し、前述の隔離部１３を配置したとしても、両者を混合するには手で強く握るほどの相当の力を要する。また、粘性媒体に強く握るほどの力を加えると、粘性媒体が勢いよく飛び散ってしまうという不具合が生ずる可能性がある。【０００９】
そこで、本発明は、薬剤と粘性媒体とを分離した状態で収納して、携行可能とし、経口投与する際に、個々の薬剤を被覆した上で、複数の被覆した薬剤を一体化した薬剤被覆媒体を容易に形成して、経口投与できる薬剤経口投与装置を提供することを目的とする。
【発明の効果】
【００１０】
本発明に係る薬剤累経口投与装置は、平面形状の所定の形成材によって形成され、開口を有する開端部、及び、閉じられた閉端部であって、前記開端部に対向して位置するものを有し、筒状形状を有する薬剤類経口投与装置であって、薬剤、及び、所定の栄養素を補給するためのサプリメントを含む薬剤類を被覆するための粘性媒体であって、被覆した前記薬剤類と一体化した薬剤被覆媒体を形成する粘性媒体、前記筒状形状の平面形状とした際に形成される第１側部と第２側部とを結ぶように形成され、対向して位置する前記形成材を接合する中間接合部、前記中間接合部、前記側部、及び、前記閉端部によって形成される空間であって、前記粘性媒体を封入する粘性媒体封入部、前記開端部から前記閉端部に向かって下降するように、前記第１側部と前記第２側部との間の所定の端部位置から前記第１側部を結ぶように形成され、対向して位置する前記形成材を接合する排出口形成傾斜接合部であって、前記端部位置が前記中間接合部よりも前記開端部側に形成される排出口形成傾斜接合部、を有する。【００１１】
これにより、粘性媒体を排出口形成傾斜接合部に沿って移動させることによって、粘性媒体を適度な大きさに裁断し、裁断した粘性媒体を、第２側部と端部位置との間に形成される排出口から排出することができる。よって、薬剤類と粘性媒体とを均一に一体化した薬剤被覆媒体を容易に形成できる。【００１２】
本発明に係る薬剤類経口投与装置では、前記第２側部は、前記開端部から前記閉端部に向かって上昇する傾斜側部であって、前記排出口形成傾斜接合部に対向する位置に形成される傾斜側部、を有する。【００１３】
これにより、粘性媒体が粘性媒体を排出口形成傾斜接合部及び傾斜側部に沿って移動させることができるため、より容易に適度な大きさに裁断された粘性媒体を形成できる。【００１４】
本発明に係る薬剤類経口投与装置では、前記排出口形成傾斜接合部は、一定した傾斜角度を有さないこと、を特徴とする。【００１５】
これにより、容易に適度な大きさに裁断された粘性媒体を形成できる。【００１６】
本発明に係る薬剤類経口投与装置では、前記排出口形成傾斜接合部は、連続した曲線によって形成されていること、を特徴とする。【００１７】
これにより、容易に適度な大きさに裁断された粘性媒体を形成できる。【００１８】
本発明に係る薬剤類経口投与装置では、前記排出口形成傾斜接合部は、円弧形状を有すること、を特徴とする。【００１９】
これにより、容易に適度な大きさに裁断された粘性媒体を形成できる。【００２０】
本発明に係る薬剤経口投与装置では、前記排出口形成傾斜接合部と前記第１側部とを接続するように形成され、対向して位置する前記形成材を接合する支持接合部であって、前記中間接合部よりも前記開端部側に形成される支持接合部、を有する。【００２１】
これにより、支持接合部及び排出口形成傾斜接合部によって形成される空間に、薬剤類を受容できる。よって、薬剤被覆媒体を形成する際に、容易に、薬剤類と裁断された粘性媒体とを一体化できる。【００２２】
本発明に係る薬剤類経口投与装置では、前記開端部は、対向して位置する前記形成材のいずれか一方の前記形成材に、他方の前記形成材を露出する切り欠き有すること、を特徴とする。【００２３】
これにより、薬剤類を容易に薬剤類経口投与装置内に投入できる。また、薬剤被覆媒体の経口投与する際に、薬剤被覆媒体を露出した成形材上に配置できるため、容易に薬剤被覆媒体を経口投与できる。【００２４】
本発明に係る薬剤経口投与装置では、前記開端部を少なくとも１回、前記閉端部側に折りたたんだ収納状態を維持する収納状態維持部、を有する。【００２５】
これにより、容易に収納状態を維持できる。【００２６】
本発明に係る薬剤経口投与装置では、前記収納状態維持部は、前記閉端部に形成される切れ込みであること、を特徴とする。【００２７】
これにより、容易に収納状態を維持できる。【００２８】
本発明に係る薬剤経口投与装置では、前記収納状態維持部は、前記粘性媒体封入部とは反対側に前記閉端部から連続して形成され、前記閉端部側とは異なる端部が、前記収納状態における前記閉端部とは異なる端部を収納するために開口していること、を特徴とする。【００２９】
これにより、容易に収納状態を維持できる。【００３０】
本発明に係る薬剤経口投与装置では、前記収納状態維持部は、前記第１側部及び／又は前記第２側部に形成され、前記中間接合部に対して前記開端部側に形成される切れ込みと、前記中間接合部に対して前記閉端部側に形成される切れ込みとを、互いに係合させるものであること、を特徴とする。【００３１】
これにより、容易に収納状態を維持できる。【００３２】
本発明に係る薬剤経口投与装置では、所定の前記薬剤類、を有する。【００３３】
これにより、薬剤類を有する薬剤類経口投与装置を容易に提供できる。
【図面の簡単な説明】
【００３４】
【図１】本発明に係る薬剤類経口投与装置の一実施例である薬剤経口投与装置１００の正面図である。
【図２】図１に示す薬剤経口投与装置１００の背面図である。
【図３】薬剤経口投与装置１００の使用方法を示す図である。
【図４】薬剤経口投与装置１００の使用方法を示す図である。
【図５】薬剤経口投与装置１００の使用方法を示す図である。
【図６】薬剤経口投与装置１００の使用方法を示す図である。
【図７】薬剤経口投与装置１００の使用方法を示す図である。
【図８】本発明に係る薬剤類経口投与装置のその他の実施例を示す図である。
【図９】本発明に係る薬剤類経口投与装置のその他の実施例を示す図である。
【図１０】本発明に係る薬剤類経口投与装置のその他の実施例を示す図である。
【図１１】本発明に係る薬剤類経口投与装置のその他の実施例を示す図である。
【図１２】本発明に係る薬剤類経口投与装置のその他の実施例を示す図である。
【図１３】本発明に係る薬剤類経口投与装置のその他の実施例を示す図である。
【図１４】本発明に係る薬剤類経口投与装置のその他の実施例を示す図である。
【図１５】本発明に係る薬剤類経口投与装置のその他の実施例を示す図である。
【図１６】本発明に係る薬剤類経口投与装置のその他の実施例を示す図である。
【図１７】本発明に係る薬剤類経口投与装置のその他の実施例を示す図である。
【図１８】本発明に係る薬剤類経口投与装置のその他の実施例を示す図である。
【図１９】本発明に係る薬剤類経口投与装置のその他の実施例を示す図である。
【図２０】本発明に係る薬剤類経口投与装置のその他の実施例を示す図である。
【図２１】薬剤経口投与装置の従来技術を示す図である。
【発明を実施するための形態】
【００３５】
以下、本発明の実施例について、図面を参照しながら詳細に説明していく。
【実施例１】
【００３６】
第１  構成
本発明に係る薬剤経口投与装置の一実施例である薬剤経口投与装置１００について、図１及び図２を用いて説明する。図１は、薬剤経口投与装置１００の正面図を、図２は、薬剤経口投与装置１００の背面図を、それぞれ示している。【００３７】
薬剤経口投与装置１００は、例えば、ポリプロピレンやポリエチレン等、熱によって融着する素材によって形成された平面形状のシートを形成材として用いて形成される。【００３８】
図１に示すように、薬剤経口投与装置１００は、接合側部１０１、折れ側部１０２、閉端部１０３、開端部１０４、中間接合部１０５、排出口形成接合部１０６、及び、収納状態維持部１０７を有している。【００３９】
薬剤経口投与装置１００は、一枚のシートの対向して位置する端部同士を熱によって融着し、側部接合領域１０１ｒを形成することによって、筒状形状を形成する。接合側部１０１は、側部接合領域１０１ｒの折れ側部１０２（後述）の側の境界に、開端部１０４の一つの端部１０４Ｔ１と、対応する閉端部１０３の一つの端部１０３Ｔ１とを結んで形成される。接合側部１０１は、傾斜側部１０１ａを有している。傾斜側部１０１ａは、開端部１０４側から閉端部１０３側に向かう方向に増加するように形成される。傾斜側部１０１ａは、排出口形成接合部１０６、特に、第２傾斜接合部１０６ｂ（後述）に対向する位置に形成される。なお、側部接合領域１０１ｒにおいて、折れ側部１０２（後述）の側の境界である接合側部１０１と、接合側部１０１とは反対側の境界である外側部１０１ｅとは平行に形成されている。【００４０】
折れ側部１０２は、接合側部１０１が形成されている側部に対向して位置する。折れ側部１０２は、接合側部１０１を形成することによって筒状形状としたシートを平面形状に圧接することによって形成される境界に、開端部１０４の一つの端部１０４Ｔ２と、対応する閉端部１０３の一つの端部１０３Ｔ２とを結んで形成される。【００４１】
閉端部１０３は、接合側部１０１の形成により筒状形状となったシートの端部の一つを熱によって融着することによって形成される。薬剤経口投与装置１００は、接合側部１０１、折れ側部１０２、及び、閉端部１０３によって、三方が閉じられた袋形状を形成する。【００４２】
開端部１０４は、閉端部１０３に対向して位置する。開端部１０４は、第１開端部１０４ａ及び第２開端部１０４ｂを有している。第１開端部１０４ａと第２開端部１０４ｂとは、対向して位置する。図１及び図２に示すように、第２開端部１０４ｂのみに半円状の切り欠き部１０４ｃが形成されている。これにより、切り欠き部１０４ｃを介して第１開端部１０４ａが露出するので、切り欠き部１０４ｃを介した薬剤の投入、切り欠き部１０４ｃを介した薬剤と一体となった粘性媒体の排出・投与を、容易に実施できる。【００４３】
中間接合部１０５は、接合側部１０１と折れ側部１０２とを横断するように形成される。中間接合部１０５は、第１中間接合部１０５ａ及び第２中間接合部１０５ｂを有している。第１中間接合部１０５ａと第２中間接合部１０５ｂとは、ほぼ平行に形成される、また、第１中間接合部１０５ａは、第２中間接合部１０５ｂに対して、閉端部１０３側に形成される。【００４４】
中間接合部１０５は、粘性媒体を媒体封入部２０３（後述）に配置した後、シートを熱によって融着することによって形成される。中間接合部１０５は、携帯時、搬送時に媒体封入部２０３から粘性媒体が漏洩しないようにするとともに、使用時に媒体封入部２０３から粘性媒体を取り出しやすいように形成される。中間接合部１０５は、粘性媒体封入部２０３の内圧が所定以上高くなると融着が剥がれる程度の融着強度を持つように形成される。【００４５】
排出口形成接合部１０６は、媒体封入部２０３と薬剤配置部２０１（後述）との間に位置し、粘性媒体を裁断する。排出口形成接合部１０６は、接合側部１０１と折れ側部１０２との間の所定の位置と折れ側部１０２とを結ぶように、開端部１０４側から閉端部１０３側に向かって下降するように形成されている。排出口形成接合部１０６の開端部１０４側の端部１０６ｔは、接合側部１０１から所定の距離だけ離れた位置に形成される。【００４６】
排出口形成接合部１０６は、粘性媒体を排出する排出口１０６ｄを有している。排出口１０６ｄは、粘性媒体が中間接合部１０５の接合を破って媒体封入部２０３から薬剤配置部２０１に向かって移動する際に粘性媒体が通過する開口である。また、排出口形成接合部１０６は、接合側部１０１と排出口形成接合部１０６の端部１０６ｔとの間に形成される。排出口１０６ｄは、中間接合部１０５における接合側部１０１と折れ側部１０２との間の距離よりも小さい距離の開口である。【００４７】
排出口形成接合部１０６は、第１傾斜接合部１０６ａ、第２傾斜接合部１０６ｂ、及び、支持接合部１０６ｃを有している。粘性媒体は、第１傾斜接合部１０６ａ及び第２傾斜接合部１０６ｂによって形成される粘性媒体移動線Ｌ１０６に沿って移動する。第１傾斜接合部１０６ａ及び第２傾斜接合部１０６ｂは、それぞれ、開端部１０４から閉端部１０３に向かって斜めに形成されている。なお、第１傾斜接合部１０６ａと第２傾斜接合部１０６ｂとは、互いに傾斜角度が異なる。つまり、排出口形成接合部１０６は、一定の傾斜角度を有していない。第１傾斜接合部１０６ａは、第２傾斜接合部１０６ｂに比して、緩い傾斜角度を有している。また、第１傾斜接合部１０６ａは、第２傾斜接合部１０６ｂよりも、開端部１０４側に形成されている。【００４８】
このように、傾斜角度が異なる第１傾斜接合部１０６ａ及び第２傾斜接合部１０６ｂを、連続して形成することによって、排出口１０６ｄから、所定の大きさの粘性媒体を、安定して排出することができる。なお、傾斜角度が異なる傾斜接合部を連続して形成することによって、排出口１０６ｄから、所定の大きさの粘性媒体を、安定して排出することができるという知見は、実験の結果、発明者が見いだしたものである。【００４９】
支持接合部１０６ｃは、第１傾斜接合部１０６ａと第２傾斜接合部１０６ｂとの接合点付近から、折れ側部１０２までを結ぶように形成される。排出口形成接合部１０６は、排出口形成接合部１０６の端部１０６ｔは、第２中間接合部１０５ｂよりも、開端部０１４側に位置するように形成される。【００５０】
収納状態維持部１０７は、閉端部１０３に形成される。収納状態維持部１０７は、開端部１０４の幅よりも大きい切れ込みとして形成される。これにより、開端部１０４を折り曲げた収納状態（後述）における閉端部１０３とは異なる端部を、収納状態維持部１０７に容易に挿入できる。【００５１】
接合側部１０１、折れ側部１０２、及び、第２中間接合部１０５ｂによって形成される空間は、薬剤配置部２０１として機能する。薬剤配置部２０１には、所定の薬剤Ｔが配置される。配置する薬剤Ｔは、錠剤、カプセル剤、顆粒等、いずれの形状であってもよい。なお、図１においては、配置する薬剤Ｔとして、錠剤を例示している。【００５２】
接合側部１０１、折れ側部１０２、閉端部１０３、及び、第１中間接合部１０５ａによって形成される空間は、粘性媒体封入部２０３として機能する。粘性媒体封入部２０３には、所定の粘性を有し、個々の薬剤を被覆した上で、被覆した薬剤と一体化した薬剤被覆媒体を形成する粘性媒体が封入される。本実施例においては、粘性媒体として、いわゆるゼリーを用いている。粘性媒体を用いることによって、薬剤の状態では飲み込むことが難しい患者に対しても、容易に経口投与できるようになる。【００５３】
第１傾斜接合部１０６ａ、支持接合部１０６ｃ、及び、折れ側部１０２との間に形成される空間は、薬剤受容部２０５として機能する。薬剤受容部２０５は、薬剤経口投与装置１００を使用する際に、安定して薬剤を保持する。これにより、薬剤経口投与装置１００の使用者は、粘性媒体と薬剤とを容易に混合することができるようになる。【００５４】
第２  使用方法
薬剤経口投与装置１００を使用する際には、錠剤Ｔ等の薬剤を薬剤配置部２０１に封入する準備段階と、薬剤被覆媒体を経口投与する経口投与段階とがある。以下に、各段階について説明する。【００５５】
１．準備段階
準備段階においては、薬剤経口投与装置１００は、粘性媒体封入部２０３に所定の粘性媒体が予め封入された状態で、薬剤を封入する使用者（以下、封入者）に提供される。以下において、薬剤経口投与装置１００の準備段階を図３〜図５を用いて説明する。【００５６】
図３に示すように、薬剤経口投与装置１００に薬剤Ｔを封入しようとする封入者は、薬剤Ｔを、開端部１０４に配置した後、矢印ａ３１方向へ移動させて、薬剤配置部２０１へ投入する。このとき、開端部１０４を菱形状に開口させる。そして、切り欠き部１０４ｃが形成されていない第１開端部１０４ａを下側に、切り欠き部１０４ｃが形成されている第２開端部１０４ｂが上側に、それぞれ位置させ、切り欠き部１０４ｃを介して第１開端部１０４ａの上に錠剤Ｔを配置する。なお、開端部１０４を菱形状に開口させているため、第１開端部１０４ａが下側に凸形状となるため、錠剤Ｔを受容しやすく、錠剤Ｔを投入する際に横にこぼす等、投入の失敗を防止できる。【００５７】
錠剤Ｔの投入後、図４示すように、封入者は、開端部１０４を第２開端部１０４ｂを内側にしながら、薬剤配置部２０１方向、つまり矢印ａ４１方向に折り曲げる。これにより、薬剤経口投与装置１００を、開端部１０４を折りたたんだ２つ折りの状態とすることができる。なお、開端部１０４を折り返す際には、少なくとも切り欠き部１０４ｃが完全に内側となるような位置で折り返す。【００５８】
薬剤経口投与装置１００を２つ折りにした状態から、封入者は、さらに、図５に示すように、第１中間接合部１０５ａに沿って、開端部１０４を折りたたんだ状態の薬剤配置部２０１を、粘性媒体封入部２０３方向へ、つまり矢印ａ５１方向へ折りたたんだ後、薬剤配置部２０１の第２中間接合部１０５ｂ側の端部とは異なる端部、すなわち開端部を折りたたんだ端部を、矢印ａ５３方向に沿って、収納状態維持部１０７に挿入する。これにより、薬剤経口投与装置１００を、３つ折りの状態とすることができる。これにより、薬剤経口投与装置１００を３つ折り状態とすることによって、コンパクトに収納できるとともに、携帯時の形態を安定させることができる。【００５９】
２．経口投与段階
次に、薬剤経口投与装置１００の経口投与段階を図６、図７を用いて説明する。なお、図６においては、中間接合部１０５の記載を省略している。【００６０】
薬剤経口投与装置１００に収納されている薬剤を自ら経口する、又は、他の者に経口させる経口投与者は、図５に示すような３つ折り状態とされた薬剤経口投与装置１００を、図６に示すような平面状態とする。【００６１】
図６に示すような平面状態において、経口投与者は、粘性媒体封入部２０３を指で圧迫する。これにより、粘性媒体封入部２０３の内部の圧力が高くなる。粘性媒体封入部２０３の内圧が所定以上高くなると、中間接合部１０５の融着が剥がれ、媒体封入部２０３の内部に位置する粘性媒体が、薬剤配置部２０１の方向へ移動する。【００６２】
このとき、粘性媒体は、排出口形成接合部１０６の第２傾斜接合部１０６ｂ、及び、第１傾斜接合部１０６ａに沿って矢印ａ６１方向から矢印ａ６５方向に排出される。つまり、粘性媒体は、粘性媒体移動線Ｌ１０６に沿って移動する。粘性媒体は、中間接合部１０５から、排出口１０６ｄは、中間接合部１０５における接合側部１０１と折れ側部１０２との間の距離よりも小さい距離の開口である排出口１０６ｄに向かって移動する。このため、粘性媒体は、粘性媒体封入部２０３に加えられた圧迫の力、つまり、粘性媒体が広い媒体封入部２０１から狭い排出口１０６ｄへ向かう際に粘性媒体に加えられる圧力や、粘性媒体自身の粘性等の特性によって、適度な大きさに裁断される。なお、粘性媒体は、接合側部１０１の傾斜側部１０１ａに沿って矢印ａ６３方向にも排出される。このため、粘性媒体は、矢印ａ６１方向及び矢印ａ６３方向の交点付近で合流することから、より裁断が促進される。【００６３】
裁断された粘性媒体は、排出口１０６ｄから矢印ａ６７に沿うかたちで、薬剤配置部２０１に排出される。なお、薬剤配置部２０１に排出される際には、裁断された粘性媒体は、薬剤受容部２０５側に排出される。薬剤受容部２０５には薬剤Ｔが位置しているため、裁断された粘性媒体と薬剤Ｔとを容易に一体とできる。これにより、薬剤配置部２０１の内部に位置する薬剤Ｔ及び粘性媒体が一体となった薬剤被覆媒体を生成できる。なお、薬剤Ｔと粘性媒体とを揉み込むようにすることによって、粘性媒体に薬剤が均一に包含された薬剤被覆媒体を生成できる。【００６４】
薬剤被覆媒体を生成した後、図７に示すように、薬剤被覆媒体を開端部１０４方向、つまり矢印ａ７１方向へ移動させ、薬剤被覆媒体を第１開端部１０４ａ上に配置する。そして、第１開端部１０４ａから薬剤被覆媒体を経口投与する。【００６５】
［その他の実施例］
（１）粘性媒体  ：  前述の実施例１においては、粘性媒体として、いわゆるゼリーを用いたが、所定の粘度、所定の強度を有し、薬剤を被覆し、被覆された複数の薬剤が一体となった薬剤被覆媒体を形成するものであれば例示のものに限定されない。【００６６】
（２）薬剤  ：  前述の実施例１においては、薬剤として錠剤Ｔを示したが、薬剤であれば例示のものに限定されない。例えば、ミニタブレット、ペレット、ハードカプセル、ソフトカプセル、包蔵物、顆粒、粉剤、ＡＰＩであってもよい。【００６７】
また、薬剤の代わりに、所定の栄養素を補給するためのものであるサプリメントを用いるようにしてもよい。【００６８】
（３）材質  ：  前述の実施例１薬剤経口投与装置１００を形成するシートの材質としてポリプロピレン等を示したが、接合側部１０１、中間接合部１０５、排出口形成接合部１０６を形成できるものであれば、例示のものに限定されない。例えば、アルミニウム等、軟質の材料によって形成するようにしてもよい。また、透明、半透明であってもよい。【００６９】
（４）収納状態維持部１０７  ：  前述の実施例１においては、閉端部１０３に形成する切り込みによって収納状態維持部１０７を構成するとしたが、薬剤経口投与装置を折りたたんだ収納状態を維持できるものであれば、例示のものに限定されない。例えば、図８に示す薬剤経口投与装置３００に示すように、接合端部１０３に連続する形で、粘性媒体封入部２０３とは異なる方向に、収納状態維持部３０７を形成するようにしてもよい。【００７０】
収納状態維持部３０７は、接合端部１０３に対向して位置する端部収納用開口を有している。図９に示すように、開端部１０４を折りたたんだ状態で、薬剤配置部２０３を粘性媒体封入部２０３に重なるように折りたたむ。また、収納状態維持部３０７も粘性媒体封入部２０３に重なるように折りたたむ。そして、折りたたんだ薬剤配置部２０３の一端を、収納状態維持部３０７の端部収納用開口に挿入し、携行時における薬剤経口投与装置３００の収納状態を維持する。【００７１】
また、図１０に示す薬剤経口投与装置４００のように、側部接合領域１０１ｒに形成される収納状態維持部４０７によって収納状態を維持するようにしてもよい。収納状態維持部４０７は、薬剤配置部２０３に対応する接合側部１０１に形成される第１切り欠き４０７ａ、第２切り欠き４０７ｂ、及び、粘性媒体封入部２０３に対応する接合側部１０１に形成される第３切り欠き４０７ｃ、第４切り欠き４０７ｄを有している。第１切り欠き４０７ａ、第２切り欠き４０７ｂは、接合側部１０１の端から薬剤配置部２０３に向かって狭くなる切れ込みとして形成される。一方、第３切り欠き４０７ｃ、第４切り欠き４０７ｄは、接合側部１０１の端から粘性媒体封入部２０３に向かって広くなる切れ込みとして形成される。【００７２】
携行時における収納状態を形成する際には、図１１Ａに示すように、開端部１０４を折りたたんだ状態で、図１１Ａに示すＸ領域を拡大した図１１Ｂに示すように、第１切り欠き４０７ａ、第２切り欠き４０７ｂの先端の一部を、第３切り欠き４０７ｃ、第４切り欠き４０７ｄに挿入し、第１切り欠き４０７ａ、第２切り欠き４０７ｂを、第３切り欠き４０７ｃ、第４切り欠き４０７ｄに係合させる。これにより、薬剤経口投与装置４００を収納状態に維持できる。なお、図１１Ｂにおいては、第１切り欠き４０７ａ、第２切り欠き４０７ｂの斜線部分が、第３切り欠き４０７ｃ、第４切り欠き４０７ｄに係合させた部分を示している。【００７３】
（５）排出口形成接合部１０６の形状  ：  前述の実施例１における薬剤経口投与装置１００では、排出口形成接合部１０６は、傾斜角度の異なる第１傾斜接合部１０６ａ及び第２傾斜接合部１０６ｂを有するとしたが、傾斜角度が一定でないものであれば、例示のものに限定されない。例えば、図１２に示す薬剤経口投与装置５００、円弧形状の排出口形成接合部５０６を形成するようにしてもよい。この場合、円弧状の排出口形成接合部５０６によって粘性媒体移動線Ｌ５０６が形成される。【００７４】
また、図１３に示す薬剤経口投与装置５５０のように、前述の実施例１における薬剤経口投与装置１００の第１傾斜接合部１０６ａ及び第２傾斜接合部１０６ｂを複数に分割した分割した分割傾斜接合部２０６ａ〜２０６ｄを形成するようにしてもよい。この場合、各分割接合部間の間隔は、粘性媒体が隙間から漏れ出ることなく、各分割接合部にそって移動できるような距離とすればよい。この場合、粘性媒体は分割傾斜接合部２０６ａ〜２０６ｄに沿って移動するため、分割傾斜接合部２０６ａ〜２０６ｄ及びその間の空間によって粘性媒体移動線Ｌ６０６が形成される。【００７５】
（６）支持接合部１０６ｃ：前述の実施例１における薬剤経口投与装置１００では、排出口形成接合部１０６は、支持接合部１０６ｃを有するとしたが、図１４に示す薬剤経口投与装置６００のように、支持接合部１０６ｃを形成しないようにしてもよい。また、図１に示す支持接合部１０６ｃと第２傾斜接合部１０６ｂとの間の空間を融着するようにし、第１傾斜接合部１０６ａ、第２傾斜接合部１０６ｂ、及び、支持接合部１０６ｃを、一体的に融着するようにしてもよい。【００７６】
（７）側部接合領域１０１ｒ：前述の実施例１における薬剤経口投与装置１００では、側部接合領域１０１ｒにおける接合側部１０１と外部側部１０１ｅとは平行に形成されるとしたが、所定の形状の接合側部１０１を形成できるものであれば、例示のものに限定されない。例えば、図１５に示す薬剤経口投与装置６５０のように、外部側部６５１ｅを接合側部１０１とは異なる水平形状である側部接合領域６５１ｒを形成するようにしてもよい。【００７７】
（８）傾斜側部１０１ａ：前述の実施例１における薬剤経口投与装置１００では、接合側部１０１は傾斜側部１０１ａを有するとしたが、図１６に示す薬剤経口投与装置７００のように、傾斜側部を有さない接合側部７０１を形成するようにしてもよい。この場合、接合側部７０１は、側部接合領域７０１ｒの折れ側部１０２の側の境界に、開端部１０４の一つの端部１０４Ｔ１と、対応する閉端部７０３の一つの端部７０３Ｔ１とを結んで、直線上に形成される。なお、折れ側部１０２は、接合側部１０１を形成することによって筒状形状としたシートを平面形状に圧接することによって形成される境界に、開端部１０４の一つの端部１０４Ｔ２と、対応する閉端部７０３の一つの端部７０３Ｔ２とを結んで、直線上に形成される。【００７８】
（９）薬剤経口投与装置１００の筒状形状：前述の実施例１における薬剤経口投与装置１００では、１枚のシートの端部を融着し、図１に示すように、一方の側部に接合側部１０１を形成することによって薬剤経口投与装置１００を筒状形状としたが、筒状形状とできるものであれば、例示のものに限定されない。例えば、２枚のシートの両端部を融着し、図１７に示す薬剤経口投与装置８００のように、一方の側部に接合側部１０１を形成し、もう一方の側部にも接合側部８０２を形成するようにしてもよい。【００７９】
（１０）中間接合部１０５：前述の実施例１においては、中間接合部１０５は、第１中間接合部１０５ａ及び第２中間接合部１０５ｂを有するとしたが、いずれか一方だけを形成するようにしてもよい。また、３つ以上の中間接合部を形成するようにしてもよい。【００８０】
（１１）排出口形成部：前述の実施例１においては、排出口傾斜接合部１０６によって、粘性媒体を裁断する粘性媒体裁断部を形成するとしたが、排出口傾斜接合部１０６を形成せずに、粘性媒体裁断部を形成するようにしてもよい。例えば、図１８に示す薬剤経口投与装置８００のように、媒体封入部２０３と薬剤配置部２０１との間に位置する排出口形成部８０６を形成する。排出口形成部８０６は、対向して位置する形成材を島状に融着することによって形成される。排出口形成部８０６は、排出口形成傾斜接合部８０６ａ、８０６ｂによって構成される。粘性媒体が中間接合部１０５の接合を破って媒体封入部２０３から薬剤配置部２０１に向かって移動する際に、粘性媒体は、排出口形成傾斜接合部８０６ａ、８０６ｂによって形成される排出口８０６ｄ１〜８０６ｄ３を通過する。なお、排出口８０６ｄ１〜８０６ｄ３は、それぞれ、中間接合部１０５における接合側部１０１と折れ側部１０２との間の距離よりも小さい距離の開口により形成される。【００８１】
（１２）排出口：前述の実施例１において、薬剤経口投与装置１００は、一つの排出口１０６ｄを有するとしたが、複数の排出口を有してもよい。例えば、図１９に示す薬剤経口投与装置９００ように、島状接合部９０６ａを有し、島状接合部９０６ａの上、下、それぞれに１つ、合計２つの排出口９０６ｄ１、９０６ｄ２を有する排出口形成部９０６を形成するようにしてもよい。【００８２】
（１３）薬剤経口投与装置の形状：前述の実施例１においては、薬剤経口投与装置１００は、接合側部１０１、折れ属部１０２、及び、閉端部１０３によって三方が閉じられた筒形状を有するとしたが、三方が閉じられた袋形状であれば、例示のものに限定されない。例えば、図２０に示すように、薬剤経口投与装置１０００の外形を、魚形状としてもよい。
【産業上の利用可能性】
【００８３】
本発明は、薬剤と粘性媒体とを分離した状態で収納して、携行可能とし、経口投与する際に、粘性媒体及び薬剤によって形成される薬剤被覆媒体を形成して、経口投与する薬剤経口投与装置として利用できる。
【符号の説明】
【００８４】
１００・・・・・薬剤経口投与装置
１０１・・・・・接合側部
１０１ａ・・・傾斜側部
１０２・・・・・折れ側部
１０３・・・・・閉端部
１０４・・・・・開端部
１０４ａ・・・第１開端部
１０４ｂ・・・第２開端部
１０４ｃ・・・部
１０５・・・・・中間接合部
１０５ａ・・・第１中間接合部
１０５ｂ・・・第２中間接合部
１０６・・・・・排出口形成接合部
１０６ａ・・・第１傾斜接合部
１０６ｂ・・・第２傾斜接合部
１０６ｃ・・・支持接合部
１０６ｄ・・・排出口
１０６ｔ・・・端部
Ｌ１０６ｄ・・粘性媒体移動線
１０７・・・・・収納状態維持部
２０１・・・・・薬剤配置部
２０３・・・・・粘性媒体封入部
２０５・・・・・薬剤受容部
３００・・・・・薬剤経口投与装置
３０７・・・・・収納状態維持部
４００・・・・・薬剤経口投与装置
４０７・・・・・収納状態維持部
４０７ａ・・・第１切り欠き
４０７ｂ・・・第２切り欠き
４０７ｃ・・・第３切り欠き
４０７ｄ・・・第４切り欠き
５００・・・・・薬剤経口投与装置
５０６・・・・・排出口形成接合部
６００・・・・・薬剤経口投与装置
７００・・・・・薬剤経口投与装置
７０１・・・・・接合側部
８００・・・・・薬剤経口投与装置
８０２・・・・・接合側部
９００・・・・・薬剤経口投与装置
１０００・・・・薬剤経口投与装置
【図１】
2015092888.tif 000003
【図２】
2015092888.tif 000004
【図３】
2015092888.tif 000005
【図４】
2015092888.tif 000006
【図５】
2015092888.tif 000007
【図６】
2015092888.tif 000008
【図７】
2015092888.tif 000009
【図８】
2015092888.tif 000010
【図９】
2015092888.tif 000011
【図１０】
2015092888.tif 000012
【図１１】
2015092888.tif 000013
【図１２】
2015092888.tif 000014
【図１３】
2015092888.tif 000015
【図１４】
2015092888.tif 000016
【図１５】
2015092888.tif 000017
【図１６】
2015092888.tif 000018
【図１７】
2015092888.tif 000019
【図１８】
2015092888.tif 000020
【図１９】
2015092888.tif 000021
【図２０】
2015092888.tif 000022
【図２１】
2015092888.tif 000023
【国際調査報告】
2015092888.tif 000024
2015092888.tif 000025
2015092888.tif 000026
2015092888.tif 000027